(57)【要約】【課題】手術台のテーブルの構造を簡素化する。【解決手段】枢軸（１２）を介して連結された板（７，８）同士の位置関係を調整するクラッチ装置を備えた手術台のテーブルにおいて、クラッチ装置（１５）が、一方の板（８）側に取り付けられる受け片（１４）と、受け片（１４）における上記枢軸（１２）を中心にした円弧上に複数個穿設された係合穴（１６）と、いずれかの係合穴（１６）と係合可能に他方の板（７）側に取り付けられたクランプネジ棒（１７）とを具備する。一方の板（８）又は他方の板（７）を枢軸（１２）の回りに回転させ位置調節した後にクランプネジ棒（１７）を受け片（１４）のいずれかの係合穴（１６）に挿入することで両板（７，８）の位置関係を固定することができる。【選択図】　　　図５
2004089389.tif 000002
【特許請求の範囲】
【請求項１】
枢軸を介して連結された板同士の位置関係を調整するクラッチ装置を備えた手術台のテーブルにおいて、クラッチ装置が、一方の板側に取り付けられる受け片と、受け片における上記枢軸を中心にした円弧上に複数個穿設された係合穴と、いずれかの係合穴と係合可能に他方の板側に取り付けられたクランプネジ棒とを具備したことを特徴とする手術台のテーブル。
【請求項２】
請求項１に記載の手術台のテーブルにおいて、他方の板からフォーク腕が突出し、このフォーク腕内に一方の板側の受け片が入り込み、上記枢軸がフォーク腕と受け片との間に設けられたことを特徴とする手術台のテーブル。
【発明の詳細な説明】
【０００１】
【発明の属する技術分野】
本発明は、手術台のテーブルに関する。
【０００２】
【従来の技術】
【特許文献１】特開２００１−１２９０３８号公報
手術台における患者を乗せるためのテーブルは、手術内容等に応じて各種のものが用意される。例えば
【特許文献１】が開示する手術台のテーブルは標準型テーブルであり、人体に対応して頭板、背板、腰板、脚板等に分割され、腰板の個所がコラムの受台に連結される。また、テーブルの頭板、背板、腰板、脚板等の各板は枢軸を介して相互に連結され、相互の位置関係はクラッチ装置により調節可能とされる。
【０００３】
【発明が解決しようとする課題】
ところが、従来のクラッチ装置は、一方の板から突出するアームと他方の板から突出するアームとを重ねて両アーム間に枢軸を通し、両アームの接する箇所に枢軸を中心としてセレーションを放射状に形成してなる構成であるから、両アームを接離させるための構造を設けなければならず、また、セレーションの加工は面倒であり、そのため手術台のコストアップを招くという問題がある。
【０００４】
従って、本発明はそのような問題点を解決することを目的とする。
【０００５】
【課題を解決するための手段】
上記目的を達成するため、請求項１に係る発明は、枢軸（１２）を介して連結された板（７，８）同士の位置関係を調整するクラッチ装置を備えた手術台のテーブルにおいて、クラッチ装置（１５）が、一方の板（８）側に取り付けられる受け片（１４）と、受け片（１４）における上記枢軸（１２）を中心にした円弧上に複数個穿設された係合穴（１６）と、いずれかの係合穴（１６）と係合可能に他方の板（７）側に取り付けられたクランプネジ棒（１７）とを具備した手術台のテーブル（３）を採用する。
【０００６】
この請求項１に係る発明によれば、一方の板（８）又は他方の板（７）を枢軸（１２）の回りに回転させ位置調節した後にクランプネジ棒（１７）を受け片（１４）のいずれかの係合穴（１６）に挿入することで両板（７，８）の位置関係を固定することができる。従って、従来のようにセレーションやセレーションの噛み合わせを解く為の機構を省略することができるので、クラッチ装置（１５）の構造を簡素化することができる。
【０００７】
また、請求項２に係る発明は、請求項１に記載の手術台のテーブル（３）において、他方の板（７）からフォーク腕（１３）が突出し、このフォーク腕（１３）内に一方の板（８）側の受け片（１４）が入り込み、上記枢軸（１２）がフォーク腕（１３）と受け片（１４）との間に設けられた手術台のテーブル（３）を採用する。
【０００８】
この請求項２に係る発明によれば、一方の板（８）側の受け片（１４）が他方の板（７）側のフォーク腕（１３）に挟まれた状態で枢軸（１２）を支点に回転するので、板（７，８）間の回転が滑らかになり位置調整が円滑化される。
【０００９】
【発明の実施の形態】
以下、本発明の実施の形態について図面を参照して説明する。
【００１０】
図１及び図２に示すように、この手術台は、床上に置かれる基台１と、基台１から起立するコラム２と、コラム２上に配置される患者支持手段としてのテーブル３とを具備する。
【００１１】
基台１下には手術台の移動時に使用されるキャスタ４が取り付けられる。また、基台１内には液圧発生装置である油圧発生装置（図示せず）が収納される。
【００１２】
コラム２は基台１上で垂直方向に伸縮可能に組み合わされる複数本のロッド（図示せず）と、ロッドを伸縮させる液圧シリンダ装置である油圧シリンダ装置（図示せず）と、ロッドや油圧シリンダ装置等を囲むテレスコープ式に伸縮可能なカバー２ａとを具備する。油圧シリンダ装置の駆動でロッドが伸縮することにより、コラム２は垂直方向に高さを変え、テーブル３は所望の高さに昇降する。
【００１３】
テーブル３は、コラム２の頂部に図示しない縦転軸と横転軸とを介して連結され、図示しない液圧シリンダ装置の駆動により縦転軸と横転軸を支点にして縦転又は横転し、所望の角度及び向きに傾斜して停止する。
【００１４】
また、テーブル３は、人体の頭、背、腰、脚に対応して頭板５、背板６、腰板７、脚板８の複数箇所に分割される。頭板５、背板６、腰板７はそれぞれ単一の板として形成されるが、脚板８は左右二枚に分割形成される。腰板７は上記縦転軸と横転軸とを介してコラム２の頂部に連結され、他の板５，６，８は腰板７と共に昇降傾斜を行う。
【００１５】
頭板５は背板６にスライド可能に支持されるが、背板６は腰板７に枢軸９を介して連結され、頭板５及び背板６は腰板７に対し枢軸９を支点にして上下方向に回動調節可能である。
【００１６】
すなわち、腰板７から突出するアーム１０と背板６から突出するアーム１１とが重ねられ、両アーム１０，１１間に枢軸９が通され、両板６，７間に図示しない液圧シリンダ装置等の駆動装置が設けられる。駆動装置により、頭板５及び背板６は腰板７に対し枢軸９を支点にして上下方向に回動可能である。
【００１７】
図３乃至図６に示すように、左右の脚板８，８は腰板７にそれぞれ垂直枢軸１２を介して連結されており、腰板７に対し垂直枢軸１２を支点にして水平方向に回動調節可能である。
【００１８】
すなわち、腰板７の左右両端から上下二片１３ａ，１３ｂのフォーク腕１３が水平方向に突出し、各フォーク腕１３の隙間内に左右の脚板８，８側から水平方向に突出する受け片１４がそれぞれ入り込み、垂直枢軸１２がフォーク腕１３と受け片１４との間を貫通する。図３に示すように、脚板８を水平方向に開くようにすると、脚板８側の受け片１４が腰板７のフォーク腕１３間に挟まれた状態で垂直枢軸１２を支点に回転する。このように、脚板８がフォーク腕１３に挟まれた状態で水平方向に回転するので、脚板８の水平面上での位置調整が円滑化される。
【００１９】
このフォーク腕１３と受け片１４との間には、垂直枢軸１２を介して連結された板同士すなわち脚板８，８と腰板７との位置関係を調整するクラッチ装置１５が設けられる。
【００２０】
このクラッチ装置１５は、図５及び図６に示すように、脚板８，８側に取り付けられる受け片１４と、受け片１４における垂直枢軸１２を中心にした円弧上に複数個穿設された係合穴１６と、いずれかの係合穴１６と係合可能に腰板７側に取り付けられたクランプネジ棒１７とを具備する。
【００２１】
受け片１４は垂直枢軸１２を中心軸とするセクタ状に形成され、その下面に係合穴１６が垂直枢軸１２を中心にした円弧に沿うように一定ピッチで複数個穿設される。係合穴１６はブラインド穴として形成されるが、貫通穴として形成することもできる。
【００２２】
クランプネジ棒１７は、フォーク腕１３の下片１３ｂに穿設されたネジ穴１８の雌ネジと螺合し、その先端は係合穴１６に臨み、後端にはハンドル１９が固定される。
【００２３】
ハンドル１９を持ってクランプネジ棒１７を緩め、脚板８，８を腰板７に対し垂直枢軸１２の回りに回転させ位置調節した後に、クランプネジ棒１７を受け片１４のいずれかの係合穴１６に挿入して締め付けると、脚板８，８と腰板７との位置関係が固定される。
【００２４】
なお、フォーク腕１３と受け片１４はその位置を入れ替えることも可能であり、フォーク腕１３を脚板８，８側に設け、受け片１４を腰板７側に設けるようにしてもよい。
【００２５】
図５及び図６に示すように、左右の脚板８，８は腰板７にそれぞれ水平枢軸２０を介して連結され、図４に示すように腰板７に対し水平枢軸２０を支点にして垂直方向に回動調節可能である。
【００２６】
すなわち、上述のように腰板７に垂直枢軸１２を介して連結された各受け片１４が脚板８，８と分割形成され、各受け片１４の基部１４ａに対して左右の脚板８，８側から水平方向に突出するアーム２１がそれぞれ重なり、水平枢軸２０が各受け片１４とアーム２１との間を貫通する。図４に示すように、脚板８は水平枢軸２０を支点に水平位置から下方に回転可能である。
【００２７】
この受け片１４の基部１４ａとアーム２１との間には、水平枢軸２０を介して連結された板同士すなわち脚板８，８と腰板７との位置関係を調整するクラッチ装置２２が設けられる。
【００２８】
このクラッチ装置２２は、図５及び図６に示すように、脚板８，８側のアーム２１と受け片１４の基部１４ａとの重合面に水平枢軸２０を中心に形成された噛み合う一対のセレーション２３ａ，２３ｂと、アーム２１と水平枢軸２０とに形成された雌雄ネジ２４ａ，２４ｂとを具備する。
【００２９】
水平枢軸２０は、その後端にアーム２１の側面に当接する頭部２０ａとハンドル２０ｂとを有する。
【００３０】
ハンドル２０ｂを持って水平枢軸２０を一方に回して雌雄ネジ２４ａ，２４ｂを緩め、セレーション２３ａ，２３ｂ同士を離反させたうえで脚板８，８を腰板７に対し水平枢軸２０の回りに回転させ位置調節した後に、水平枢軸２０を他方に回してその頭部２０ａとアーム２１とで受け片１４の基部１４ａを締め付けると、脚板８，８と腰板７との位置関係が固定される。
【００３１】
なお、この水平枢軸２０回りのクランプ装置２２も上記垂直枢軸１２回りのクランプ装置１５と同様の構成とすることができる。
【００３２】
また、脚板８，８と腰板７との垂直枢軸１２回りでのクランプ装置１５を他の板間の連結部にそれぞれ採用することも可能である。
【００３３】
次に、上記手術台のテーブルの作用について説明する。
【００３４】
脚板８，８を腰板７に対して水平方向に位置調節するには、ハンドル１９を持ってクランプネジ棒１７を緩める。そこで、図３に示すように、脚板８，８を水平方向に開くようにすると、脚板８，８側の受け片１４が腰板７のフォーク腕１３の上下片１３ａ，１３ｂ間に挟まれた状態で垂直枢軸１２を支点に回転する。
【００３５】
このように脚板８，８を腰板７に対し垂直枢軸１２の回りに回転させ位置調節した後に、クランプネジ棒１７を受け片１４のいずれかの係合穴１６に挿入して締め付け、脚板８，８と腰板７との位置関係を固定する。
【００３６】
続いて、脚板８，８を腰板７に対して垂直方向に位置調節するには、ハンドル２０ｂを持って水平枢軸２０を一方に回して雌雄ネジ２４ａ，２４ｂを緩め、セレーション２３ａ，２３ｂ同士を離反させたうえで、図４に示すように、脚板８，８を腰板７に対し水平枢軸２０の回りに回転させ位置調節する。その後、ハンドル２０ｂを持って水平枢軸２０を他方向に回してその頭部２０ａとアーム２１とで受け片１４の基部１４ａを締め付け、脚板８，８と腰板７との垂直方向での位置関係を固定する。
【００３７】
また、頭板と背板との位置関係、背板と腰板との位置関係も、それぞれのクラッチ装置や駆動装置を操作し、各枢軸を支点にして位置調節する。
【００３８】
このようにテーブル３の各板が枢軸を有する関節で折り曲げられることにより、テーブル３が手術に適した種々の形状にセットされる。
【００３９】
【発明の効果】
請求項１に係る発明によれば、枢軸を介して連結された板同士の位置関係を調整するクラッチ装置を備えた手術台のテーブルにおいて、クラッチ装置が、一方の板側に取り付けられる受け片と、受け片における上記枢軸を中心にした円弧上に複数個穿設された係合穴と、いずれかの係合穴と係合可能に他方の板側に取り付けられたクランプネジ棒とを具備した手術台のテーブルであるから、一方の板又は他方の板を枢軸の回りに回転させ位置調節した後にクランプネジ棒を受け片のいずれかの係合穴に挿入することで両板の位置関係を固定することができる。従って、従来のようにセレーションやセレーションの噛み合わせを解く為の機構を省略することができるので、クラッチ装置の構造を簡素化することができる。
【００４０】
請求項２に係る発明によれば、請求項１に記載の手術台のテーブルにおいて、他方の板からフォーク腕が突出し、このフォーク腕内に一方の板側の受け片が入り込み、上記枢軸がフォーク腕と受け片との間に設けられた手術台のテーブルであるから、一方の板側の受け片が他方の板のフォーク腕間に挟まれた状態で枢軸を支点に回転することとなり、従って板の回転が滑らかになり位置調整が円滑化される。
【図面の簡単な説明】
【図１】本発明に係る手術台のテーブルを示す平面図である。
【図２】図１に示すテーブルを備えた手術台の正面図である。
【図３】図１に示すテーブルの脚板と腰板の部分平面図である。
【図４】図３に示す箇所の正面図である。
【図５】図３中、要部の拡大図である。
【図６】図４中、要部の拡大図である。
【符号の説明】
３…テーブル
７…腰板
８…脚板
１２…枢軸
１３…フォーク腕
１４…受け片
１５…クラッチ装置
１６…係合穴
１７…クランプネジ棒
【図１】
2004089389.tif 000003
【図２】
2004089389.tif 000004
【図３】
2004089389.tif 000005
【図４】
2004089389.tif 000006
【図５】
2004089389.tif 000007
【図６】
2004089389.tif 000008